【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
それぞれがキャッシュメモリを含み、それぞれが少なくとも１つのディスク装置と組み合わされ、少なくとも１つのホストコンピュータと接続された複数の正ディスク制御装置と、キャッシュメモリを含み、複数の正ディスクからリモートコピー処理によって送信されたデータを受信するよう構成された副ディスク制御装置と、前記副ディスク制御装置に接続されたディスク装置とを備え、
前記正ディスク制御装置のそれぞれのキャッシュメモリは、対応する前記ディスク装置へ書き込まれる更新データを格納する第１の領域と前記副ディスク制御装置に転送すべき更新データを格納する第２の領域を有し、
それぞれの前記正ディスク制御装置は、前記ホストコンピュータからの更新データを受信して、前記副ディスク制御装置に転送すべき更新データとして、前記キャッシュメモリの前記第２の領域に格納し、その格納された更新データを前記副ディスク制御装置に転送して、前記副ディスク制御装置へのリモートコピーを行うストレージ装置であって、
それぞれの前記正ディスク制御装置では、前記キャッシュメモリの前記第２の領域に格納された更新データに対して、少なくとも１周期の間に上書きし、前記ホストコンピュータから送られた前記更新データに対し、少なくとも１周期の間に、前記更新データで定義された上書き対応レコードを記録し、上書きおよび格納された、更新データは共に前記副ディスク制御装置に転送され、
前記副ディスク制御装置では、複数の前記正ディスク制御装置から送られた更新データを一貫性の取れた実データとして扱うことを特徴とするストレージ装置。
【請求項２】
請求項１記載のストレージ装置において、
前記正ディスク制御装置のそれぞれのキャッシュメモリに格納された更新データに対して、同一レコードの更新データを上書きするモードおよび上書きしないモードを設け、前記ホストコンピュータからモード切替の指示があると、前記正ディスク制御装置のそれぞれのキャッシュメモリにモード切替の情報を格納して、前記モード切替の情報を前記副ディスク制御装置に転送し、
前記副ディスク制御装置では、前記正ディスク制御装置のそれぞれから転送された前記モード切替の情報に基づいて、動作モードを変更することを特徴とするストレージ装置。
【請求項３】
請求項２記載のストレージ装置において、
前記正ディスク制御装置のそれぞれの内部における前記更新データの処理状態に基づいて、前記モード切替の情報を、前記正ディスク制御装置のそれぞれのキャッシュメモリに格納することを特徴とするストレージ装置。
【請求項４】
請求項１記載のストレージ装置において、
複数の前記正ディスク制御装置のそれぞれがキャッシュメモリおよび制御メモリを含むことを特徴とするストレージ装置。
【請求項５】
請求項４記載のストレージ装置において、
正ディスク制御装置のそれぞれが、前記ホストコンピュータからのデータにタイムスタンプおよび受領番号を付与して前記キャッシュメモリの前記第２の領域に格納することを特徴とするストレージ装置。
【請求項６】
請求項５記載のストレージ装置において、
前記タイムスタンプは、前記ホストコンピュータまたは複数の前記正ディスク制御装置のそれぞれにより付与され、前記受領番号は、複数の前記正ディスク制御装置のそれぞれにより前記ホストコンピュータからの更新データの受領情報に基づいて付与され、これらの情報は、前記制御メモリ内に格納されることを特徴とするストレージ装置。
【請求項７】
請求項５記載のストレージ装置において、
前記正ディスク制御装置のそれぞれのキャッシュメモリに格納された更新データに関して、レコードを上書きした際、その上書き回数の情報を前記制御メモリ内に格納し、
前記副ディスク制御装置では、前記タイムスタンプ、前記受領番号および前記上書き回数の情報に基づいて、前記更新データの確認を行うことを特徴とするストレージ装置。
【請求項８】
請求項５記載のストレージ装置において、
第２の基点は前記正ディスク制御装置で同期ポイントとして、前記正ディスク制御装置のキャッシュメモリに格納し、
前記副ディスク制御装置では、第１の基点と前記同期ポイント間の更新データを一貫性の取れた実データとして扱うことを特徴とするストレージ装置。
【請求項９】
請求項８記載のストレージ装置において、
前記同期ポイントは、前記ホストコンピュータからの同期要求により前記正ディスク制御装置のキャッシュメモリに格納されることを特徴とするストレージ装置。
【請求項１０】
請求項５記載のストレージ装置において、
それぞれの前記正ディスク制御装置は、第１の基点と第２の基点間の更新データを一括して、前記副ディスク制御装置に転送することを特徴とするストレージ装置。
【請求項１１】
請求項１記載のストレージ装置において、
前記正ディスク制御装置のそれぞれが、前記キャッシュメモリの前記第２の領域に格納された前記副ディスク制御装置に転送すべき更新データに対して、予め設定された第１の基点と第２の基点間の規定時間の間は同一レコードの更新データを上書きするよう構成されたことを特徴とするストレージ装置。
【請求項１２】
請求項１１記載のストレージ装置において、
前記正ディスク制御装置と前記副ディスク制御装置との間で、前記第１の基点および前記第２の基点を同期させることを特徴とするストレージ装置。
【請求項１３】
請求項１記載のストレージ装置において、
前記正ディスク制御装置のそれぞれが、複数の時間周期の間に前記キャッシュメモリの前記第２の領域に格納されている上書きされた前記更新データに対して上書きし、それぞれの時間周期に前記ホストコンピュータから送られた前記更新データに対し、前記更新データによって前記時間周期に定義された上書き対応レコードを記録することで、それぞれの前記複数の時間周期に上書きされ格納された上書きデータが共に前記副ディスク制御装置に転送されることを特徴とするストレージ装置。
【請求項１４】
キャッシュメモリ、正ライトデータ受領部、正ライトデータ送信部およびディスクデータ送受信部を含み、少なくとも１つのホストコンピュータが接続され、そのそれぞれが自身のディスクデータ送受信部に接続された少なくとも１つのディスク装置と組み合わされた複数の正ディスク制御装置と、
キャッシュメモリ、副ライトデータ受領部およびディスクデータ送受信部を含み、複数の正ディスク制御装置から送られたデータをリモートコピー処理によって受信するよう構成された副ディスク制御装置と、
前記副ディスク制御装置のディスクデータ送受信部に接続されたディスク装置とを備え、
前記正ディスク制御装置のそれぞれのキャッシュメモリは、前記ディスクデータ送受信部により前記ディスク装置へ書き込まれる更新データを格納する第１の領域と前記副ディスク制御装置に転送すべき更新データを格納する第２の領域を有し、
それぞれの前記正ディスク制御装置は、前記ホストコンピュータからの更新データを前記正ライトデータ受領部により受領し、前記ホストコンピュータから送られた前記更新データを受信して前記副ディスク制御装置に転送すべき更新データとして、前記キャッシュメモリの前記第２の領域に格納し、その格納された更新データを、前記正ライトデータ送信部により、前記副ディスク制御装置に転送して、前記副ディスク制御装置へのリモートコピーを行うストレージ装置であって、
前記それぞれの正ディスク制御装置では、前記キャッシュメモリの前記第２の領域に少なくとも１周期の間に更新データを上書きし、前記正ディスク制御装置のキャッシュメモリに格納し、前記ホストコンピュータから送られた前記更新データに対し、少なくとも１周期の間に、前記更新データで定義された上書き対応レコードを記録することでその周期に上書きされ格納された更新データは、共に前記副ディスク制御装置に転送され、
前記副ディスク制御装置では、前記副ライトデータ受領部により前記正ライトデータ送信部から転送された更新データを受領し、その受領した更新データを前記副ディスク制御装置の前記キャッシュメモリに格納し、その格納された第１の基点と同期ポイント間の更新データを一貫性の取れた実データとして扱うことを特徴とするストレージ装置。
【請求項１５】
請求項１４記載のストレージ装置において、
前記複数の正ディスク制御装置のそれぞれが、さらに制御メモリを含むことを特徴とするストレージ装置。
【請求項１６】
請求項１５記載のストレージ装置において、
前記正ディスク制御装置のそれぞれが、前記ホストコンピュータからの更新データにタイムスタンプおよび受領番号を付与するよう構成されることで、前記更新データを前記キャッシュメモリの前記第２の領域に格納することを特徴とするストレージ装置。
【請求項１７】
請求項１４記載のストレージ装置において、
前記正ディスク制御装置のそれぞれが、前記キャッシュメモリの前記第２の領域に格納された前記副ディスク制御装置に転送すべき更新データに対して、予め設定された第１の基点と第２の基点間の規定時間の間は同一レコードの更新データを上書きするよう構成されたストレージ装置。
【請求項１８】
請求項１４記載のストレージ装置において、
前記正ディスク制御装置のそれぞれが、複数の時間周期にキャッシュメモリの前記第２の領域に前記上書きされた更新データを上書きし、それぞれの時間周期にホストコンピュータから送られた前記更新データに対し、前記時間周期に上書きされた前記更新データで定義された上書き対応レコードを上書きし、それによって複数の時間周期のそれぞれにおいて上書きされ格納された、前記上書きされた更新データが前記副ディスク制御装置に転送されることを特徴とするストレージ装置。